(57)【特許請求の範囲】
【請求項１】
下記（ａ）成分、（ｂ）成分及び（ｃ）成分を含有する柔軟剤組成物。
＜（ａ）成分＞
下記一般式（１）で示される化合物、又はその酸塩に由来するモノマー単位（Ａ）のみからなる、高分子化合物。
【化１】
0005118475.tif 000010
〔式中、Ｒ1、Ｒ2は、それぞれ独立に水素原子、又はメチル基を示し、Ｒ3は水素原子を示す。Ｘは−ＣＯＯ−Ｒ6−、又は−ＣＯＮＲ7−Ｒ8−を示す。Ｒ4は炭素数１〜３のアルキル基、又は炭素数１〜３のヒドロキシアルキル基を示す。Ｒ5は炭素数１〜３のアルキル基、炭素数１〜３のヒドロキシアルキル基、又は水素原子を示す。Ｒ6、Ｒ8は、それぞれ独立に炭素数２〜３のアルキレン基、Ｒ7は水素原子、又は炭素数１〜３のアルキル基を示す。〕
＜（ｂ）成分＞
アミド基で分断されている総炭素数１２〜２９の炭化水素基を１〜３個有する３級アミン、該アミンの４級化物、及び前記アミンの酸塩から選ばれる１種以上の化合物。
＜（ｃ）成分＞
ＣｌｏｇＰが４を超える香料化合物。
【請求項２】
（ａ）成分、（ｂ）成分及び（ｃ）成分の含有量の合計中、（ｃ）成分の含有量の割合が、（ｃ）成分／〔（ａ）成分＋（ｂ）成分＋（ｃ）成分〕×１００で、０．０５〜３０質量％である請求項１の柔軟剤組成物。
【請求項３】
（ａ）成分、（ｂ）成分及び（ｃ）成分の含有量の合計中、（ａ）成分の含有量の割合が、（ａ）成分／〔（ａ）成分＋（ｂ）成分＋（ｃ）成分〕×１００で、０．０１〜３０質量％である請求項１又は２の柔軟剤組成物。
【請求項４】
請求項１〜３の何れか１項記載の柔軟剤組成物で、繊維製品を処理する方法。
【発明の詳細な説明】
【技術分野】
【０００１】
本発明は柔軟剤組成物に関する。
【背景技術】
【０００２】
衣料等の繊維製品を対象とした柔軟剤には一般に香料が用いられている。従来、洗濯処理を行った衣料の香りは、処理直後の香りが強い、心地よいなどが求められていた。しかし、近年、香りに対する関心が高まっており、洗濯された衣料の保存後、着用開始時、さらには着用中においても香りを楽しむ生活習慣が生まれてきた。そのような変化に対応して、柔軟処理後の衣料に香りを残すいわゆる残香性を付与する技術が開発されている（例えば特許文献１、２）。
【０００３】
長時間に渡り心地よい香りが持続する高残香性能のためには、洗濯浴中で香料を衣料上に多く残すことが効果的である。しかし、通常の洗濯工程において、柔軟処理を行う場合、香料は洗浄水とともに排出されてしまい、香りが残りにくいという問題点がある。そのため、高い残香性能を発現させるためには、香料を多量に配合することが必要となり、経済性、製品安定性が悪くなる。また、これまでの技術では、高い残香性を発現するため、および、審美的外観の観点から柔軟剤自身の色合いを損なわないために、香料種が限定された中から調合しないといけないといった問題点もあり（特許文献１、２）、香りのバリエーションが限定されてきた。
【特許文献１】特開２００４−１３１６８０号公報
【特許文献２】特開２００４−２１０９５９号公報
【発明の開示】
【発明が解決しようとする課題】
【０００４】
したがって、本発明が解決しようとする課題は、柔軟性能に優れ、洗濯後の繊維製品に心地よい、さまざまな香りを付与でき、長期間保管後においても長く心地よい香りが残る柔軟剤組成物を提供することである。
【課題を解決するための手段】
【０００５】
本発明は、下記（ａ）成分、（ｂ）成分及び（ｃ）成分を含有する柔軟剤組成物に関する。
＜（ａ）成分＞
下記一般式（１）で示される化合物、又はその酸塩もしくは４級塩に由来するモノマー単位（Ａ）及び、下記一般式（２）で示される化合物に由来するモノマー単位（Ｂ）を含有し、モノマー単位（Ａ）とモノマー単位（Ｂ）の合計中、モノマー単位（Ａ）の割合が（Ａ）／〔（Ａ）＋（Ｂ）〕＝２０〜１００モル％である、高分子化合物。
【０００６】
【化４】
0005118475.tif 000002
【０００７】
〔式中、Ｒ1、Ｒ2は、それぞれ独立に水素原子、又はメチル基を示し、Ｒ3は−ＣＯＯＭ（Ｍは水素原子、又はアルカリ金属原子）、又は水素原子を示す。Ｘは−ＣＯＯ−Ｒ6−、−ＣＯＮＲ7−Ｒ8−、又は−ＣＨ2−を示す。Ｒ4はＸが−ＣＨ2−の場合には一般式（３）
【０００８】
【化５】
0005118475.tif 000003
【０００９】
で表される基を示し、Ｘがそれ以外の場合は炭素数１〜３のアルキル基、又は炭素数１〜３のヒドロキシアルキル基を示す。Ｒ5は炭素数１〜３のアルキル基、炭素数１〜３のヒドロキシアルキル基、又は水素原子を示す。Ｒ6、Ｒ8は、それぞれ独立に炭素数２〜３のアルキレン基、Ｒ7は水素原子、又は炭素数１〜３のアルキル基を示す。〕
【００１０】
【化６】
0005118475.tif 000004
【００１１】
（式中、Ｒ11、Ｒ12は、それぞれ独立に水素原子、又は炭素数１〜３のアルキル基を示し、Ｙはアリール基、−Ｏ−ＣＯ−Ｒ13、−ＣＯＯ−Ｒ14、又は−ＣＯＮＲ15−Ｒ16を示す。Ｒ13、Ｒ14、Ｒ16は、それぞれ独立に炭素数１〜５の直鎖状、分岐鎖状、もしくは環状のアルキル基もしくはアルケニル基を示し、Ｒ15は水素原子、又は炭素数１〜３のアルキル基を示す。）
＜（ｂ）成分＞
アミド基で分断されている総炭素数１２〜２９の炭化水素基を１〜３個有する３級アミン、該アミンの４級化物、及び前記アミンの酸塩から選ばれる１種以上の化合物。
＜（ｃ）成分＞
ＣｌｏｇＰが４を超える香料化合物。
【発明の効果】
【００１２】
本発明によれば、ＣｌｏｇＰが４を超える香料を効率よく繊維製品に付与でき、繊維処理直後、および長期保管後においても長く香りが残る効果がある柔軟剤組成物が提供される。
【発明を実施するための最良の形態】
【００１３】
＜（ａ）成分＞
モノマー単位（Ａ）の由来となる、一般式（１）で表される化合物のうち、Ｘは−ＣＯＯ−Ｒ6−、−ＣＯＮＲ7−Ｒ8−（Ｒ6、Ｒ7、Ｒ8は前記の意味を表す）が好ましく、Ｒ4、Ｒ5はメチル基、又はエチル基が好ましい。また、好ましい具体的な化合物としてＸが−ＣＯＯ−Ｒ6−である化合物としては、アクリル酸Ｎ，Ｎ−ジメチルアミノエチル、アクリル酸Ｎ，Ｎ−ジメチルアミノメチル、アクリル酸Ｎ，Ｎ−ジメチルアミノブチル、アクリル酸Ｎ，Ｎ−ジメチルアミノプロピル、メタクリル酸Ｎ，Ｎ−ジメチルアミノエチル、メタクリル酸Ｎ，Ｎ−ジメチルアミノメチル、メタクリル酸Ｎ，Ｎ−ジメチルアミノブチル、メタクリル酸Ｎ，Ｎ−ジメチルアミノプロピル、アクリル酸Ｎ，Ｎ−ジエチルアミノエチル、アクリル酸Ｎ，Ｎ−ジエチルアミノメチル、アクリル酸Ｎ，Ｎ−ジエチルアミノブチル、アクリル酸Ｎ，Ｎ−ジエチルアミノプロピル、メタクリル酸Ｎ，Ｎ−ジエチルアミノエチル、メタクリル酸Ｎ，Ｎ−ジエチルアミノメチル、メタクリル酸Ｎ，Ｎ−ジエチルアミノブチル、メタクリル酸Ｎ，Ｎ−ジエチルアミノプロピル等が挙げられる。さらに好ましい化合物としては、アクリル酸Ｎ，Ｎ−ジメチルアミノエチル、アクリル酸Ｎ，Ｎ−ジメチルアミノメチル、アクリル酸Ｎ，Ｎ−ジメチルアミノプロピル、メタクリル酸Ｎ，Ｎ−ジメチルアミノエチル、メタクリル酸Ｎ，Ｎ−ジメチルアミノメチル、メタクリル酸Ｎ，Ｎ−ジメチルアミノプロピル、アクリル酸Ｎ，Ｎ−ジエチルアミノエチル、アクリル酸Ｎ，Ｎ−ジエチルアミノメチル、アクリル酸Ｎ，Ｎ−ジエチルアミノプロピル、メタクリル酸Ｎ，Ｎ−ジエチルアミノエチル、メタクリル酸Ｎ，Ｎ−ジエチルアミノメチル、メタクリル酸Ｎ，Ｎ−ジエチルアミノプロピルが挙げられる。
【００１４】
特に好ましくは、アクリル酸Ｎ，Ｎ−ジメチルアミノエチル、アクリル酸Ｎ，Ｎ−ジメチルアミノメチル、メタクリル酸Ｎ，Ｎ−ジメチルアミノエチル、メタクリル酸Ｎ，Ｎ−ジメチルアミノメチル、アクリル酸Ｎ，Ｎ−ジエチルアミノエチル、アクリル酸Ｎ，Ｎ−ジエチルアミノメチル、メタクリル酸Ｎ，Ｎ−ジエチルアミノエチル、メタクリル酸Ｎ，Ｎ−ジエチルアミノメチルが挙げられる。
【００１５】
また、一般式（１）で表される化合物のうち、一般式（１）中のＸが−ＣＯＮＲ7−Ｒ8−である化合物としては、Ｎ，Ｎ−ジメチルアミノプロピルアクリル酸（またはメタクリル酸）アミド、Ｎ，Ｎ−ジメチルアミノメチルアクリル酸（またはメタクリル酸）アミド、Ｎ，Ｎ−ジメチルアミノエチルアクリル酸（またはメタクリル酸）アミド、Ｎ，Ｎ−ジメチルアミノブチルアクリル酸（またはメタクリル酸）アミド等が挙げられる。好ましくはＮ，Ｎ−ジメチルアミノプロピルアクリル酸（またはメタクリル酸）アミド、Ｎ，Ｎ−ジメチルアミノメチルアクリル酸（またはメタクリル酸）アミド、Ｎ，Ｎ−ジメチルアミノエチルアクリル酸（またはメタクリル酸）アミドである。
【００１６】
また、一般式（１）中のＸが−ＣＨ2−の場合、Ｒ4は前記一般式（３）で表される基である。かかる化合物としては、ジアリルアミン、ジアリルメチルアミン等が挙げられる。
【００１７】
一般式（１）で示される化合物は、その酸塩又は４級塩を用いることができる。酸塩としては、例えば、１級、２級、３級アミンの塩酸塩、硫酸塩などの無機塩の中和塩や各種有機酸の中和塩が挙げられ、４級塩としては炭素数１〜３のハロゲン化アルキル、炭素数１〜３のアルキル硫酸等によって４級化された化合物が挙げられる。４級塩としてはＮ，Ｎ，Ｎ−トリメチル−Ｎ−（２−メタクリロイルオキシエチル）アンモニウムクロライド、Ｎ，Ｎ−ジメチル−Ｎ−エチル−Ｎ−（２−メタクリロイルオキシエチル）アンモニウムエチルサルフェート、ジアリルジメチルアンモニウムクロリドが挙げられる。これらの化合物は、例えばＭＲＣユニテック（株）からＱＤＭやＭＯＥＤＥＳという商品名で販売されている。
【００１８】
（ａ）成分が、モノマー単位（Ａ）のみからなる高分子化合物である場合には、モノマー単位（Ａ）は、一般式（１）で示される化合物、又はその酸塩から構成されることが好ましい。
【００１９】
また、モノマー単位（Ｂ）の由来となる、一般式（２）で表される化合物としては、ブチルアクリレート等のアクリル酸アルキル（炭素数１〜５）エステル、ブチルメタクリレート、メチルメタクリレート、ブチルメタクリレート等のメタクリル酸アルキル（炭素数１〜５）エステル等が挙げられる。
【００２０】
（ａ）成分は、モノマー単位（Ａ）、（Ｂ）以外のモノマー単位として、共重合可能な不飽和結合含有モノマー〔モノマー（Ｃ）〕に由来するモノマー単位〔モノマー単位（Ｃ）〕を本発明の効果を損なわない範囲で有しても良い。かかるモノマー（Ｃ）としては、例えば、アクリルアミド、ビニルアルコール；ヒドロキシエチル（メタ）アクリレート、ヒドロキシプロピル（メタ）アクリルアミド等の炭素数１〜２２のヒドロキシアルキル基を有する（メタ）アクリル酸エステル又は（メタ）アクリルアミド；ポリエチレングリコール（メタ）アクリレート、メトキシポリエチレングリコール（メタ）アクリレート、ラウロキシポリエチレングリコール（メタ）アクリレート（エチレングリコールの重合度が１〜１００）、ポリプロピレングリコール（メタ）アクリレート（プロピレングリコールの重合度が１〜５０）、ポリブチレングリコール（メタ）アクリレート（ブチレングリコールの重合度が１〜５０）等のポリアルキレン（アルキレン基の炭素数１〜８；直鎖もしくは分岐鎖）オキシド鎖を有する（メタ）アクリル酸エステル；グリセリン（メタ）アクリレート等の多価アルコールの（メタ）アクリル酸エステル；ジアセトン（メタ）アクリルアミド；Ｎ−ビニルピロリドン等のＮ−ビニル環状アミド；Ｎ−（メタ）アクロイルモルホリン；塩化ビニル；アクリロニトリル；（メタ）アクリル酸、マレイン酸、イタコン酸、スチレンカルボン酸等のカルボキシル基を有するビニル化合物；２−アクリルアミド−２−メチルプロパンスルホン酸、スチレンスルホン酸等のスルホン酸基を有するビニル化合物等が例示される。これらのモノマー（Ｃ）の共重合量は、モノマー全量に対して８０質量％以下、好ましくは５０質量％以下、さらに好ましくは３０質量％以下である。
【００２１】
（ａ）成分は、モノマー単位（Ａ）及びモノマー単位（Ｂ）を、モノマー単位（Ａ）とモノマー単位（Ｂ）の合計中、モノマー単位（Ａ）の割合が（Ａ）／〔（Ａ）＋（Ｂ）〕＝２０〜１００モル％の割合で含有し、柔軟効果の点から好ましくは、５０〜９５モル％、より好ましくは７０〜９５モル％で含有する。また、特にｌｏｇＰが５以上の香料を効率よく繊維製品に付与する場合には、モノマー単位（Ａ）のみからなる高分子化合物が好ましい。
【００２２】
また、（ａ）成分の重量平均分子量（Ｍｗ）は、２，０００〜２００，０００、更に３，０００〜１５０，０００、特に５，０００〜１００，０００、とりわけ５，０００〜７５，０００、最も５，０００〜６０，０００が好ましい。
【００２３】
尚、本発明の（ａ）成分のＭｗは、ゲル・パーミエーション・クロマトグラフィー（ＧＰＣ）測定による値を使用する。溶離液としては、水、アルコール、クロロホルム、ジメチルホルムアミド、テトラヒドロフラン、アセトニトリル及びこれらの溶媒を組み合わせた液の何れかを使用し、ポリエチレンオキシド又はポリスチレン換算の分子量とする。
【００２４】
その際、測定対象のポリマーが、モノマー単位（Ａ）の割合が大きく比較的親水性であると考えられる場合は、（１％酢酸／エタノール）：水＝３：７（質量比）の混合溶媒で調製したＬｉＢｒの５０ｍｍｏｌ／Ｌ溶液を溶媒として、極性溶媒用ＧＰＣカラム「α−Ｍ（東ソー（株）製）」を２本直列して用い、ポリエチレングリコール換算の分子量により算出する（測定法Ａ）。一方、モノマー単位（Ｂ）の割合が大きく、ポリマーが比較的疎水性であると考えられる場合は、ファーミンＤＭ２０（花王（株）製）の１ｍｍｏｌ／Ｌ−ＣＨＣｌ3溶液にて、有機溶媒用ＧＰＣカラム「Ｋ−８０４（昭和電工（株）製）」を２本直列して用い、ポリスチレン換算の分子量により算出する（測定法Ｂ）。
【００２５】
＜（ｂ）成分＞
本発明の（ｂ）成分は、アミド基で分断されている総炭素数１２〜２９の炭化水素基を１〜３個有する３級アミン、該アミンの４級化物、及び前記アミンの酸塩から選ばれる１種以上の化合物である。
【００２６】
例えば、（ｂ）成分としては、
（１）窒素原子に結合する基のうち、１〜３個がアミド基で分断されている総炭素数１２〜２９の炭化水素基である３級アミン、
（２）窒素原子に結合する基のうち、１〜３個がアミド基で分断されている総炭素数１２〜２９の炭化水素基である３級アミンの酸塩、
（３）窒素原子に結合する基のうち、１〜３個がアミド基で分断されている総炭素数１２〜２９の炭化水素基である４級アンモニウム塩、
が挙げられる。
【００２７】
好ましい化合物としては分子内にアミド基で分断されている総炭素数１２〜２９の炭化水素基を１〜２個有する３級アミン、該アミンの４級化物、及び前記アミンの酸塩から選ばれる１種以上の化合物である。この化合物は、更にエステル基で分断されている総炭素数１２〜２９の炭化水素基を１〜２個（ただし、アミド基で分断されている総炭素数１２〜２９の炭化水素基との合計は３個）有することが好ましい。
【００２８】
（ｂ）成分の具体的に好ましい化合物としては下記一般式（ｂ１）の化合物及び下記一般式（ｂ２）の化合物から選ばれる１種以上が好適である。
【００２９】
【化７】
0005118475.tif 000005
【００３０】
〔Ｒ1a、Ｒ2aは、それぞれ炭素数１１〜２３、好ましくは１３〜２３、より好ましくは１５〜１９のアルキル基又はアルケニル基であり、Ｒ1b、Ｒ2bは、それぞれ炭素数１〜５、好ましくは２又は３のアルキレン基であり、Ｒ1c、Ｒ1dは、それぞれ炭素数１〜３のアルキル基、炭素数１〜３のヒドロキシアルキル基、Ｒ1a−Ａ−Ｒ1b−、又はＲ1a−Ｄ−Ｒ1b−であり、Ｒ2c、Ｒ2dは、それぞれ炭素数１〜３のアルキル基、炭素数１〜３のヒドロキシアルキル基、Ｒ2a−Ｂ−Ｒ2b−、又はＲ2a−Ｅ−Ｒ2b−である。Ｒ2eは水素原子、炭素数１〜３のアルキル基、又は炭素数１〜３のヒドロキシアルキル基である。Ａ、Ｂは、それぞれ−ＣＯＮＨ−、−ＮＨＣＯ−から選ばれる基であり、好ましくは−ＣＯＮＨ−であり、Ｄ、Ｅは、それぞれ−ＣＯＯ−、−ＯＣＯ−、−Ｏ−から選ばれる基であり、好ましくは−ＣＯＯ−である。Ｚ-は有機、又は無機の陰イオンであり、好ましくは塩素イオン、炭素数１〜３のアルキル硫酸エステルイオン、炭素数１〜１８の脂肪酸イオン、炭素数１〜３のアルキル基が１〜３個置換していてもよいベンゼンスルホン酸イオンである。〕
【００３１】
＜（ｃ）成分＞
本発明の柔軟剤組成物は、ＣｌｏｇＰが４を超える香料化合物を含有する。ここで、ｌｏｇＰとは、有機化合物の水と１−オクタノールに対する親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰの形で示すのが一般的である。
【００３２】
多くの化合物のｌｏｇＰ値が報告され、Daylight Chemical Information Systems, Inc. (Daylight CIS)などから入手しうるデータベースには多くの値が掲載されているので参照できる。実測のＬｏｇＰ値がない場合には、Daylight CISから入手できるプログラム“CLOGP"で計算すると最も便利である。このプログラムは、実測のｌｏｇＰ値がある場合にはそれと伴に、Hansch, Leoのフラグメントアプローチにより算出される“計算ｌｏｇＰ（ＣｌｏｇＰ）”の値を出力する。
【００３３】
フラグメントアプローチは化合物の化学構造に基づいており、原子の数及び化学結合のタイプを考慮している(cf. A. Leo, Comprehensive Medicinal Chemistry, Vol.4, C. Hansch, P.G. Sammens, J.B. Taylor and C.A. Ramsden, Eds., p.295, Pergamon Press, 1990)。このＣｌｏｇＰ値は現在最も汎用的で信頼できる推定値であるので、化合物の選択に際して実測のｌｏｇＰ値の代わりに用いることができる。本発明では、ｌｏｇＰの実測値があればそれを、無い場合はプログラムCLOGP v4.01により計算したＣｌｏｇＰ値を用いる。
【００３４】
ＣｌｏｇＰが４を超える香料化合物としては、例えば、下記の香料化合物が挙げられる。
p-t-B.C.H.A、BENZYL SALICYLATE、DAMASCENONE、LIMONENE、TERPINOLENE、ALDEHYDE C-11、HEXYL CINNAMIC ALDEHYDE、PATCHOULI ALCOHOL、AMBROXAN、PEARLIDE、PENTALIDE
【００３５】
本発明の香料化合物吸着量向上効果の発現機構は必ずしも全てが解明された訳ではないが、本発明の組成物を用いて繊維製品を処理した時、特定の構造を有する（ａ）成分及び（ｂ）成分が繊維表面に吸着し、（ｃ）成分であるＣｌｏｇＰが４を超える比較的疎水性の香料化合物を繊維製品表面に選択的に捕捉、吸着させることにより（ｃ）成分の吸着率を向上させているものと考えられる。
【００３６】
＜柔軟剤組成物＞
本発明の柔軟剤組成物は、（ａ）成分を0.005〜10質量％、更に0.05〜5質量％、特に0.5〜3質量％含有することが好ましい。また、（ｂ）成分を3〜30質量％、更に5〜25質量％、特に10〜20質量％含有することが好ましい。また、（ｃ）成分を0.05〜5質量％、更に0.3〜3質量％、特に0.5〜2質量％含有することが好ましい。なお、本発明の柔軟剤組成物が液体の場合、残部は全部又は主に水である。
【００３７】
また、本発明の柔軟剤組成物では、（ａ）成分、（ｂ）成分及び（ｃ）成分の含有量の合計中、（ｃ）成分の含有量の割合が、（ｃ）成分／〔（ａ）成分＋（ｂ）成分＋（ｃ）成分〕×１００で、０．０５〜３０質量％、更に0.5〜20質量％、特に1〜10質量％であることが、残香性および保存安定性の観点から好ましい。
【００３８】
また、本発明の柔軟剤組成物では、（ａ）成分、（ｂ）成分及び（ｃ）成分の含有量の合計中、（ａ）成分の含有量の割合が、（ａ）成分／〔（ａ）成分＋（ｂ）成分＋（ｃ）成分〕×１００で、０．０１〜３０質量％、好ましくは０．１〜２０質量％、より好ましくは１〜２０質量％、特に好ましくは５〜２０質量％、９〜２０質量％であり、最も好ましくは１２〜２０質量％であることが、香料の吸着性、残香性、柔軟性、および保存安定性の観点から好ましい。また、経済性の観点から２〜１０質量％が好ましい。
【００３９】
なお、本発明の柔軟剤組成物は、本発明の（ａ）、（ｂ）、（ｃ）成分以外に、抗菌剤、安定化剤、増粘剤、染料、アニオン性界面活性剤等を含有することができる。本発明の柔軟剤組成物は、衣料等の繊維製品用として好適である。
【実施例】
【００４０】
以下に、（ａ）成分（ポリマー１〜５）の合成例を示す。
（合成例１）
メタクリル酸Ｎ，Ｎ−ジメチルアミノエチル（分子量：157.21）３６．０ｇ、ブチルメタクリレート（分子量：142.2）１４．０ｇ、エタノール１８０．０ｇを均一に混合し、内容量３００ｍＬのガラス製セパラブルフラスコに入れ、窒素雰囲気下で一定時間攪拌した。そこに２，２’−アゾビス（２，４−ジメチルバレロニトリル）（Ｖ−６５；和光純薬工業（株）製）１．４１ｇをエタノール２０．０ｇに溶解した溶液を添加し、６０℃付近まで昇温した。６０〜７０℃付近で合計８時間保持することで重合・熟成した。そこにエタノール１００．０ｇを加えて希釈した後、室温まで降温した。この反応溶液をイオン交換水４０００．０ｇ中に滴下して再沈殿精製し、沈殿物を乾燥してポリマー１を得た。ポリマーのＭｗは１２８００であった（水／エタノール＝７／３系、ポリエチレンオキシド換算）。また1Ｈ−ＮＭＲにより分析したポリマーの組成は仕込みモノマー組成どおり（ＤＭＡＥＭＡ／ＢＭＡ＝７０／３０（モル比））であった。
【００４１】
（合成例２）以降は、（合成例１）と同様の方法にて使用するモノマーを変更することにより、下記組成（モル比）、分子量のポリマーを得た。
（合成例２）
ポリマー２：ＤＭＡＥＭＡ／ＢＭＡ＝６５／３５、Ｍｗ１１４００
（合成例３）
ポリマー３：ＤＭＡＥＭＡ／ＢＭＡ＝５５／４５、Ｍｗ１０２００
（合成例４）
ポリマー４：ＤＭＡＥＭＡ／ＢＭＡ＝４０／６０、Ｍｗ６５００
【００４２】
（合成例５）
内容量１Ｌのガラス製セパラブルフラスコを一定時間窒素置換した。そこにエタノール４６．８ｇを添加し、撹拌しながら内温が７８〜８０℃になるまで加熱し、保持した。ジメチルアミノエチルメタクリレート３００．００ｇ、２，２’−アゾビス（２，４−ジメチルバレロニトリル）（Ｖ−６５Ｂ；和光純薬工業（株）製）７．１１ｇ、エタノール１１４．３ｇを予め均一に混合し、この溶液を上記フラスコ中に３時間かけて一定速度で滴下した。次に、Ｖ−６５Ｂ  １１．８５ｇをエタノール４７．４ｇに溶解した溶液を上記フラスコ中に４時間かけて一定速度で滴下した。滴下終了後、８０℃付近で２時間保持することでポリジメチルアミノエチルメタクリレート（ポリマー５）のエタノール溶液を得た。ポリマーのＭｗは１１２００であった。また1Ｈ−ＮＭＲにより分析したポリマーの組成は仕込みモノマー組成どおりであった。
【００４３】
また、ポリマー６として、以下のものを用いた。
・ポリマー６：ポリジアリルジメチルアンモニウムクロライド、Poly(diallyldimethylammonium chloride), low molecular weight（ＭＷ：１００，０００〜２００，０００、アルドリッチ製）
【００４４】
上記略号は以下の意味を示す。また、ポリマーの分子量Ｍｗは前述の測定法Ａにより測定したものである。
・ＤＭＡＥＭＡ：メタクリル酸Ｎ，Ｎ−ジメチルアミノエチル
・ＤＡＤＭＡＣ：ジアリルジメチルアンモニウムクロライド
・ＢＭＡ：ブチルメタクリレート
【００４５】
以下に、各実施例、比較例で用いた（ｂ）成分〔（ｂ−１）〕の合成例を示す。
【００４６】
（合成例）
Ｎ−（３−アミノプロピル）−Ｎ−（２−ヒドロキシエチル）−Ｎ−メチルアミンと脂肪酸組成物（ステアリン酸とパルミチン酸を質量比で６／４の割合で混合した脂肪酸）とを１／１．９のモル比で公知の方法に従って脱水縮合させた。反応物中の脂肪酸含量が５％になった時点で反応を終了させた。この反応生成物を（ｂ−１）として用いた。反応生成物（ｂ−１）中、（ｂ）成分に相当する化合物の含有量は９５質量％であった。
【００４７】
＜実施例１及び比較例１＞
（１）前処理方法
あらかじめ、市販の弱アルカリ性洗剤（花王（株）アタック）を用いて、木綿メリヤス２４枚、木綿タオル２４枚をそれぞれ日立全自動洗濯機NW-6CYで５回洗浄を繰り返し、室内乾燥することによって、過分の薬剤を除去した（洗剤濃度０．０６６７質量％、水道水４７Ｌ使用、水温２０℃、洗浄１０分、ため濯ぎ２回）。
【００４８】
（２）柔軟剤組成物及び試験用処理液の調製方法
はじめに、（ａ）成分１．９％（質量％、以下特記しない限り同様）、（ｂ）成分１７．０％、（ｃ）成分１．５％になるようそれぞれを水と混合し、塩酸にてｐＨ＝３にして６０℃に加熱し撹拌した。その後、室温まで冷却し柔軟剤組成物を調製した。これを水で３７００倍希釈し、（ａ）成分５ｐｐｍ、（ｂ）成分４６ｐｐｍ、（ｃ）成分４ｐｐｍの試験用処理液を得た。
【００４９】
（３）吸着率の測定方法
上記の方法で調製した試験用処理液（５２．５ｇ）をＮｏ．１１の規格瓶に入れた。さらに、前処理を行った木綿メリヤス布（１０ｃｍ×１０ｃｍ、２．１ｇ）を入れ、マグネティックスターラー（スターラーピースの長さ４．５ｃｍ×径１ｃｍ、回転数２００ｒｐｍ）で５分間攪拌するモデル柔軟処理を行った。処理前の試験用処理液中の香料化合物含有量（ｘ）と処理後の香料化合物含有量（ｙ）の差分〔（ｘ）−（ｙ）〕をタオルに吸着している量として、処理前の香料化合物含有量（ｘ）に対する割合（百分率）、すなわち、〔（ｘ）−（ｙ）〕／（ｘ）×１００を香料化合物の吸着率（％）とする。その結果を表１に示す。なお、処理前後の試験用処理液中の香料化合物の含有量は、下記の液体クロマトグラフィー装置を用いて測定した。
液体クロマトグラフィー装置：ＨＩＴＡＣＨＩ  Ｌ−６０００
カラム：Ｌｉｃｈｒｏｓｐｈｅｒ  １００  ＲＰ−１８（ｅ）  ５μｍ  １２５ｍｍ×４φ
カラム温度：４０℃
溶離剤：アセトニトリル／水＝７／３（質量比）の混合溶液
流速：１．０ｍＬ／ｍｉｎ
検出器：ＵＶ（２２０ｎｍ）
【００５０】
【表１】
0005118475.tif 000006
【００５１】
表中、吸着率の対ブランク相対値は、ブランクを１．０とする相対値である（以下同様）。
【００５２】
次に、実施例１−１とブランク（ポリマーなし）の条件での処理布を、25℃、40％RHにて２４時間乾燥させ、残香性の比較官能評価を、さらに、同条件で処理した木綿タオルを２５℃、40％RHにて２４時間乾燥させ柔軟性の比較官能評価を、それぞれパネラー10人に対して行った。結果を表２に示す。
【００５３】
【表２】
0005118475.tif 000007
【００５４】
これより、本発明の柔軟剤組成物では、残香性がよく、更に柔軟性も向上していることがわかる。
【００５５】
＜実施例２及び比較例２＞
（ａ）成分として合成例１の方法で調製したポリマー１、（ｂ）成分として前記（ｂ−１）、及び（ｃ）成分としてＣｌｏｇＰの異なる各種香料化合物、を用いて、上述した調製方法と同様に試験用処理液を調製し、実施例１と同様に処理を行い、吸着率を求めた。また、（ａ）成分を配合しない試験用処理液〔（ａ）成分の配合量の分を水に置き換える〕についても吸着率を求めた。その結果を表３に示した。
【００５６】
【表３】
0005118475.tif 000008
【００５７】
＜実施例３及び比較例３＞
合成例１の方法で調製したポリマー１〔（ａ）成分〕、前記（ｂ−１）〔（ｂ）成分〕、及び実施例２において効果の高かったパーライド〔（ｃ）成分〕を用いて、（ａ）成分０〜３．７％、（ｂ）成分１７．０％、（ｃ）成分１．５％になるようそれぞれを混合し、塩酸にてｐＨ＝２にして６０℃に加熱し撹拌した。なお、（ａ）〜（ｃ）成分の三者の質量比は、表４の数値となるように調整した。その後、室温まで冷却し柔軟剤組成物を調製した。これを水で３７００倍希釈し、（ａ）成分０〜１０ｐｐｍ、（ｂ）成分４６ｐｐｍ、（ｃ）成分４ｐｐｍの試験用処理液を得た。この試験用処理液を用いて実施例１と同様に処理を行い香料の吸着率を測定した。その結果を表４に示す。ブランクは、（ａ）成分０ｐｐｍ〔（ａ）成分なし〕、（ｂ）成分４６ｐｐｍ、（ｃ）成分４ｐｐｍの組成物である。
【００５８】
【表４】
0005118475.tif 000009
【００５９】
表１〜４の結果より、（ａ）、（ｂ）、（ｃ）成分を含有する本発明の柔軟剤組成物で処理された繊維製品は、香料を効率的に繊維製品に吸着させ、残香性および柔軟性を向上させることが出来ることがわかった。